(57)【特許請求の範囲】
【請求項１】
油分に汚染された土壌に加水し攪拌及び混合してスラリーとするとともに前記土壌の洗浄を行う洗浄装置と、
前記スラリーが供給され、該スラリーから大粒径分を除去する振動篩と、
前記振動篩を通過したスラリーに含まれる土壌の粗粒分と細粒分とを分離するサイクロンと、
前記サイクロンによって分離された細粒分を含むスラリーから、土壌の細粒分及びこれに付着する油分を除去する排水処理装置とを備え、
前記振動篩は、
前記振動篩を通過したスラリーの一部を、該振動篩の前段における篩上のスラリーに噴射する壊砕スプレーと、
前記排水処理装置で処理された処理水を、該振動篩の後段において篩上に残留する土壌粒子に噴射する洗浄スプレーとを有することを特徴とする油汚染土壌洗浄設備。
【請求項２】
前記サイクロンのオーバー水の一部を、該サイクロンに供給されるスラリーに還流し、該サイクロンに導入されるスラリーの濃度を調整することを特徴とする請求項１に記載の油汚染土壌洗浄設備。
【請求項３】
前記サイクロンは、二つのサイクロンを含み、
第1のサイクロンのアンダー水に、前記排水処理装置で処理された処理水を加えて濃度を調整したスラリーを、第2のサイクロンに供給することを特徴とする請求項１に記載の油汚染土壌洗浄装置。
【発明の詳細な説明】
【０００１】
【発明の属する技術分野】
本発明は、油分によって汚染された土壌に加水して混合攪拌による洗浄を行い、油分の含有率が低減された土壌と油分を含むスラリーとに分離して処理する油汚染土壌洗浄設備に関する。
【０００２】
【従来の技術】
近年、産業活動によって生じる種々の汚染物質による土壌汚染が問題となっている。特に油による汚染土壌の浄化、除去処理作業は、環境整備事業の最も重要な課題の一つであり、経済的で効率の良い浄化手段の開発が望まれている。
【０００３】
油で汚染された土壌を浄化する方法として、一般的には、次のような方法が多く採用されている。ドラム洗浄機やドラムスクリーン等の回転式の洗浄装置に汚染土壌と水又は洗浄剤とを供給し、これらを混合攪拌してスラリーを形成し、土壌粒子の接触摩擦と水又は洗浄剤の洗浄効果とによって油分を土壌粒子から剥離する。そして、篩装置やサイクロン等の分級装置によって、スラリー中の土壌の粗粒な部分を分離し、土壌の細粒部を含むスラリーは貯槽に搬送して静置し、油分を浮上させて除去する。また、貯槽内で沈殿した土壌の細粒部は油分を多く含み、脱水処理を行った後産業廃棄物として処理される。
【０００４】
一方、スラリーから分離された粗粒部にも油分が付着している。これは、洗浄装置において一旦汚染土壌粒子から分離した油分が洗浄水中に含まれ、洗浄後の土壌粒子の表面に再付着することによるものであり、特に洗浄剤を用いずに水だけで洗浄を行ったときに油分の再付着が生じやすい。そして、洗浄後の油分は土壌の粒子の表面積に関連して付着し、細粒部になるほど汚染油の含有率が高くなる。したがって、上記のように洗浄を行った後のスラリーから土壌中の大粒部分及び粗粒分を分離したときには、粒径に応じて再洗浄が必要となっている。
【０００５】
例えば、特開２０００−２０２４２２号公報に記載の装置では、直列に２つの回転篩装置を配置し、前段の回転篩装置に汚染土壌を供給し、上部から洗浄剤を散布しながらドラムを回転させ、汚染土壌と洗浄剤とを混合攪拌して土壌粒子から油分を剥離する。そして、土壌の粗粒部を後段の回転篩装置に供給し、清水で仕上げ洗浄し、土壌の表面に付着した油分を除去する。一方、篩目を通過した土壌の細粒部を含む洗浄水は回収槽に回収して固液分離を行なう。分離された固形分はその後の処理に移送され、洗浄剤を含む液体は再び前段の回転篩装置上に散布して循環使用する。
【０００６】
【発明が解決しようとする課題】
しかしながら、上記のような従来の技術では、次のように解決が望まれる課題がある。
汚染土壌に加水してスラリーとし、これを洗浄装置において洗浄した後、分級した粗粒分等を再洗浄するので多くの水を要する。これらの使用水の確保及び最終処理等を考慮すると、使用水はできるだけ少なくすることが望まれる。例えば、特開２０００−２０２４２２号公報に記載の装置では、第1の回転篩で分給された粗粒分を清水で洗浄しており、使用水量が増加する。このため、使用水を減少して排水処理設備の負荷を軽減するには、処理システム内で使用水を有効に循環する必要がある。
【０００７】
一方、水又は洗浄剤とともに混合攪拌された土壌は、土壌粒子の粒度によって油分の含有率が異なり、一般的には、粒径が小さい程油分の含有率が高くなる。したがって、粗粒分を除去した後の細粒部は、油分を含んだ産業廃棄物となるが、この量はできるだけ少なく抑える必要がある。このためには、粗粒分としてスラリーから除去する土壌粒子は、できるだけ小粒径のものまでを有効に洗浄し、油分を少なくして分離するのが望ましい。洗浄後の油分の含有率が低い粗粒分は元の地盤に埋め戻すことができる。
【０００８】
これに対し、特開２０００−２０２４２２号公報に記載の装置では、回転篩装置を通過した油分を含むスラリーについて固液分離処理しており、油分を含んだまま分離される土壌が多くなってしまう。つまり、篩装置では、篩目が２００μm〜３００μm程度より小さいと目詰まりを起こしてしまうため、これより粒径の小さい土壌粒子は油分を除去して分級するのが難しい。また、篩目を通過したスラリーをサイクロン等の他の分級装置によって適当に分級しても、粗粒部の油分含有率が比較的高い場合には、そのまま埋め戻すことができない。
【０００９】
本願発明は、上記のような事情に鑑みてなされたものであり、その目的は、汚染土壌に加水して形成したスラリーに含まれる土壌を効率良く分級して、油分の含有率の少ない土壌粒子を取り出すとともに、処理中のスラリー及び処理済水を有効に循環利用して使用水の減量を図ることである。
【００１０】
【課題を解決するための手段】
上記の課題を解決するために、請求項１に係る発明は、  油分に汚染された土壌に加水し攪拌及び混合してスラリーとするとともに前記土壌の洗浄を行う洗浄装置と、  前記スラリーが供給され、該スラリーから大粒径分を除去する振動篩と、  前記振動篩を通過したスラリーに含まれる土壌の粗粒分と細粒分とを分離するサイクロンと、  前記サイクロンによって分離された細粒分を含むスラリーから、土壌の細粒分及びこれに付着する油分を除去する排水処理装置とを備え、前記振動篩は、  前記振動篩を通過したスラリーの一部を、該振動篩の前段における篩上のスラリーに噴射する壊砕スプレーと、  前記排水処理装置で処理された処理水を、該振動篩の後段において篩上に残留する土壌粒子に噴射する洗浄スプレーとを有することを特徴とする油汚染土壌洗浄設備を提供するものである。
【００１１】
油分によって汚染された土壌は、上記洗浄装置においてスラリーとされ、土壌粒子が摺り合わされて、粒子に付着した油分が剥離される。スラリーは振動篩に送り込まれ、振動篩の前段において、該スラリーに壊砕スプレーから振動篩を通過したスラリーが噴射される。これにより、補給水を用いることなく、スラリーに含まれる土壌の塊が壊砕され、土壌に含まれる大粒径分のみが篩上に残留し、粗粒分及び細粒分を含むスラリーは篩目を通過する。そして、篩上の土壌粒子は振動篩の後段に移動し、洗浄スプレーから油分が除去された処理水が噴射され、土壌粒子の表面に再付着した油分が洗い流されて除去される。この処理水は、篩目を通過したスラリーからサイクロンで土壌の粗粒分を除去し、さらに細粒分を含むスラリーを排水処理装置によって浄化処理したものであり、この処理水を利用することによって、土壌粒子を洗浄し、振動篩から清浄な土壌粒子を取り出すことができる。上記のように、壊砕には大量の循環スラリーを使用し、比較的汚染濃度の低い大径の土壌粒子には少量の洗浄水を使用することによって、使用清水を大きく低減することができる。
【００１２】
請求項２に係る発明は、請求項１に記載の油汚染土壌洗浄設備において、  前記サイクロンのオーバー水の一部を、該サイクロンに供給されるスラリーに還流し、該サイクロンに導入されるスラリーの濃度を調整するものである。
【００１３】
一般に、サイクロンへ供給されるスラリーの濃度が高いと、スラリーの流動性が低下し、サイクロン内部にスラリーが滞留してしまう。そして、スラリー中の土壌粒子が良好に分級されず、オーバー水側に土壌の粗粒分が流出するおそれがある。一方、水分を多く含むスラリーでは、サイクロンによる分級効率が低下してしまう。
上記油汚染土壌洗浄設備では、サイクロンのオーバー水の一部を、該サイクロンに供給されるスラリーに還流し、この還流量を調節してサイクロンに導入されるスラリーの濃度を調整する。これにより、新たに新水を加えずに一定の濃度のスラリーを安定してサイクロンに供給し、該スラリーに含まれる土壌の粗粒分と細粒分とを良好に分離することができる。そして、粗粒分を除去したスラリーは、排水処理装置において細粒分及びこれに付着する油分を除去し、清澄化することができる。
【００１４】
請求項３に係る発明は、請求項１に記載の油汚染土壌洗浄設備において、  前記サイクロンは、二つのサイクロンを含み、  第1のサイクロンのアンダー水に、前記排水処理装置で処理された処理水を加えて濃度を調整したスラリーを、第2のサイクロンに供給するものである。
【００１５】
振動篩を通過したスラリーは、第1のサイクロンによって、該スラリーに含まれる土壌の粗粒分と細粒分とが分離され、粗粒分を含むスラリーがアンダー水として排出される。また、細粒分はサイクロンのオーバー水に含まれて排出される。このとき、粗粒分はサイクロンの壁面に摺擦されたり、粒子同士が摺り合わされて、粒子の表面に付着した油分が剥離される。そして、剥離された油分はオーバー水とともに排水処理装置へ送り込まれる。油分及び細粒分を含むスラリーは排水処理装置によって固液分離され、油分及び土壌の細粒分が除去された処理水は、その一部が第1のサイクロンのアンダー水に加えられ、スラリーの濃度を調整した後、該スラリーが第2のサイクロンに供給される。これにより、第2のサイクロン内でスラリーが滞留せず、該スラリー中の粒子が再びサイクロンの壁面に摺擦され、粒子同士が摺り合わされて再洗浄される。したがって、第2のサイクロンのアンダー水として、油分の含有率の低い土壌粒子を取り出すことができる。
【００１６】
一般にサイクロンは、口径が大きいと大水量の分級が可能となり、同時に分級サイズが大きくなる。一方、小口径のサイクロンは小水量の分級しかできないが、分級サイズが小さくなる特性がある。この特性を利用して分級を行なう例として、特開平９−３３６５１３号公報では、サイクロンのオーバー水を順次小口径のサイクロンに直列に供給するものとしている。
【００１７】
しかし、本請求項に係る発明は、サイクロンに高速で導入された流体中の土壌粒子は、遠心力によってサイクロンの壁面に強く接触し、摺擦されるとともに、壁面に摺り付けられた土壌粒子間の摺擦が生じることに着目し、サイクロンで分級を行なうとともに洗浄効果を利用するものである。つまり、第1のサイクロンのアンダー水を第2のサイクロンに導入することによって洗浄を繰り返し、土壌の粗粒分から汚染油を剥離し、オーバー水とともに除去する。
【００１８】
【発明の実施の形態】
以下、本発明の実施の形態を図に基づいて説明する。
図１は、請求項１、請求項２、又は請求項３に係る発明の一実施形態である油汚染土壌洗浄設備を示す概略構成図である。
この油汚染土壌洗浄設備は、油が付着した汚染土壌と洗浄水ライン２８から供給された洗浄水とを混合及び攪拌してスラリーとし、土壌の洗浄を行なう洗浄装置１と、該スラリーから土壌に含まれた粗大な礫等５を除去する湿式振動篩２と、湿式振動篩２で篩目を通過したスラリーが投入される篩下スラリー槽６と、篩下スラリー槽６から供給されたスラリーを土壌の粗粒分と細粒分を含むスラリーとに分級する一次サイクロン１０と、一次サイクロン１０のアンダー水を貯留する一次粗粒槽１４と、一次粗粒槽１４から供給されたスラリーに含まれる土壌を分級するとともに、土壌の粗粒分を洗浄する二次サイクロン１８と、二次サイクロン１０のアンダー水を固液分離する二次粗粒槽２１と、一次サイクロン１０のオーバー水及び二次サイクロン１８のオーバー水を浄化処理する排水処理設備２７とで主要部が構成されている。
【００１９】
上記洗浄装置１は、例えばドラムウォッシャーを用いることができる。このドラムウォッシャーは、ドラム状の容器を、軸線が水平又はやや傾斜するように支持したものであり、軸線回りに回転駆動することによって収容する土壌と洗浄水とを混合攪拌するものである。混合攪拌により土壌粒子は互いに衝突し摺り合わされて、油分が土壌粒子から剥離される。汚染土壌は軸線方向の一端から投入され、回転にともなって軸線方向にゆっくりと搬送され、他端から排出されるようになっている。
【００２０】
上記湿式振動篩２は、二段式の振動篩が用いられており、該湿式振動篩の前段には、篩下スラリー槽６から供給されたスラリーを噴射する壊砕スプレー３と、後段には、排水処理設備２７から供給された処理水を噴射する洗浄スプレー４とを備えている。そして、篩網を振動させながら、振動篩の前段において、壊砕スプレー３からの噴射によって篩網上のスラリーに含まれる土壌の塊を壊砕して、土壌の大粒径分と、土壌の粗粒分及び細粒分を含むスラリーとを分離する。また、振動篩の後段において、篩網上に残留する土壌の大粒径分に洗浄スプレー４から処理水を噴射して、大粒径分に再付着した油分を除去する。
【００２１】
上記篩下スラリー槽６は、湿式振動篩２の篩網を通過したスラリーを貯留するものであり、スラリーを攪拌する攪拌機７と、スラリーを壊砕スプレー３に供給するポンプ８と、一次サイクロン１０に供給するポンプ９と、篩下スラリー槽内のスラリーの濃度を測定し、検知信号を出力する濃度伝送器３１と、スラリーの液面を検知し検知信号を出力する液面伝送器３４とを備えている。
【００２２】
上記攪拌機７は、例えば、回転駆動される羽根状又はスクリュー状の攪拌部によってスラリーを攪拌し、貯留されたスラリーに含まれる土壌の粒子が堆積するのを防ぐものである。
【００２３】
上記濃度伝送器３１は、スラリー貯槽内のスラリーの濃度を測定し、この測定値を電気信号として濃度調節計３２に入力するものである。濃度調節計３２には予め適切な濃度が設定されており、この設定値と測定値とを対比する。調節弁３３はこの対比の結果に基づいて開閉が調節されるようになっている。これにより、循環オーバーライン１１から篩下スラリー槽６に還流されるスラリー量が調節され、篩下スラリー槽６のスラリーは適切な濃度に調整される。
【００２４】
上記液面伝送器３４は、超音波やレーザーを使用した非接触式の検知器が用いられている。この液面伝送器３４には、あらかじめスラリーの液面高さの上限値及び下限値が設定されており、スラリーの液面が上限値又は下限値に達したことを検知するようになっている。そして、液面が上限値又は下限値に達すると制御信号を調節弁３３に出力し、調節弁３３はこの信号が入力されたときに開閉が調節されるものとなっている。これにより、循環オーバーライン１１から篩下スラリー槽６に還流されるスラリー量が調節され、篩下スラリー槽６のスラリーの液面高さが制御される。
【００２５】
上記一次サイクロン１０は湿式サイクロンが用いられており、質量の小さい細粒分及び油分を含むスラリーは、頂部に設けられた排出口１０ａから循環オーバーライン１１又は排水オーバーライン１２に送り込まれる。一方、質量の大きい粗粒部を含むスラリーは、底部に設けられた排出口１０ｂからアンダーライン１３を経て一次粗粒槽１４へ排出されるようになっている。
【００２６】
上記一次粗粒槽１４は、排水処理設備２７から供給された処理水と槽内のスラリーとを攪拌機１５によって攪拌し、スラリーを希釈するものである。一次粗粒槽内で濃度が調整されたスラリーは流動性が向上し、二次サイクロンにおいてスラリーが滞留しにくくなる。
【００２７】
上記二次サイクロン１８は一次サイクロン１０と同じ分級点の湿式サイクロンが用いられている。二次サイクロン１８へは、ポンプ１６によって一次粗粒槽１４からスラリーが供給され、該スラリー中の土壌粒子が二次サイクロン１８の壁面に摺擦されたり、土壌粒子が摺り合わされて、粒子の表面に付着した油分が剥離される。二次サイクロン１８の底部の排出口１８ｂからは、質量の大きい粗粒分が二次粗粒槽２１に排出され、頂部の排出口１８ａからは、土壌粒子から剥離された油分及び一次サイクロン１０で分離されなかったスラリー中の細粒分を含むオーバー水が排水処理設備２７へ排出される。
【００２８】
上記二次粗粒槽２１は半地下に埋設されており、槽内に仕切り網２２と、水中ポンプ２３とが設けられている。仕切り網２２は投入されたスラリーを粗粒部と水分とに分離するものであり、水分は水中ポンプ２３によって排水処理設備２７に移送するようになっている。
【００２９】
上記排水処理設備２７は、スラリーに含まれる油分を浮上させて除去するとともに、油分が再付着した細粒部を沈降脱水して汚染ケーキを生成するものである。一方、細粒部及び油分を除去した処理水は、洗浄装置１、洗浄スプレー４及び二次粗粒槽１４へ還流するようになっている。
【００３０】
次に、この油汚染土壌洗浄設備の動作について説明する。
洗浄装置１に油が付着した汚染土壌と、洗浄水ライン２８から洗浄水とが投入され、混合及び攪拌される。汚染土壌はスラリーとなり、混合及び攪拌にともなう土粒子間の衝突及び摺擦によって土壌から油分が剥離され、湿式振動篩２に送り込まれる。湿式振動篩２の前段では、壊砕スプレー３からの噴射によって篩上のスラリーに含まれる土壌の塊が壊砕され、篩網の振動によって、土壌の粒子を含むスラリーは篩網を通過して篩下スラリー槽６に落下する。一方、土壌の大粒径分は振動篩の後段へと移動し、洗浄スプレー４から処理水が噴射され、大粒径分に付着した油分が除去され、系外に搬出される。
【００３１】
篩下スラリー槽６では、濃度伝送器３１によってスラリーの濃度が測定され、調節弁３３の開閉が調節される。これにより、排水オーバーライン１２から排水処理設備２７に送り込まれるスラリー量及び循環オーバーライン１１からスラリー貯槽６に還流されるスラリー量が調節され、スラリー濃度が調整される。スラリーはポンプ９によって一次サイクロン１０に供給されるとともに、スラリーの一部はポンプ８によって壊砕スプレー３に供給されて循環使用される。
【００３２】
一次サイクロン１０に送り込まれたスラリーは、濃度が調整されており、細粒分を含むスラリーと粗粒分とに効率良く分級され、このとき粗粒分はサイクロンの壁面に摺擦されたり、粒子同士が摺り合わされて、粒子の表面に付着した油分が剥離される。細粒分及び剥離された油分を含むスラリーは循環オーバーライン１１又は排水オーバーライン１２に送り込まれ、粗粒分は一次粗粒槽１４へ排出される。循環オーバーライン１１に送られたスラリーは再び篩下スラリー貯槽６に供給され、排水オーバーライン１２に送り込まれたスラリーは排水処理設備２７に移送される。
【００３３】
一次粗粒槽１４では、一次粗粒槽内の粗粒分と排水処理設備２７から供給された処理水とが攪拌機１５によって混合され、濃度調整された粗粒分を含むスラリーが二次サイクロン１８に送り込まれる。二次サイクロン１８では、スラリーが濃度調整されているので滞留せずに混合攪拌され、土壌の粒子は再びサイクロンの壁面に摺擦され、粒子間で摺り合わされて表面に付着した油分が洗い流される。したがって油分の含有率の低い粗粒分が二次粗粒槽２１に排出される。また、スラリーに残留する細粒分は、オーバーライン１９を経て排水処理設備２７に移送される。
【００３４】
二次粗粒槽２１では、仕切り網２２によって粗粒部と水分とが分離され、水分は水中ポンプ２３によって排水処理設備２７に送られて処理される。一方、粗粒部はサイクロンによって油分がほとんど除去されており、そのまま埋め戻すことができる。また、排水処理設備２７では、スラリーに含まれる油分を浮上させて除去するとともに、油分を多く含む土壌の細粒分を沈降脱水して汚染ケーキとし、産業廃棄物として系外に搬出する。一方、油分及び土壌の細粒分が除去された処理水は、洗浄装置１、洗浄スプレー４及び二次粗粒槽１４へ再循環し、これにより省水を図る。
【００３５】
上記工程において、篩下スラリー槽６内のスラリーは、調節弁３３によって濃度が調整されており、液面高さは変動する。しかし、液面高さが上限値又は下限値に達すると次のように液面高さが制御される。
液面伝送器３４によってスラリー液面が上限値に達したことが検知されると、電気信号として調節弁３３に入力され、該調節弁１２は閉状態となる。そして、一次サイクロンのオーバー水である細粒分を含むスラリーは、排水オーバーライン１２を経て、全て排水処理設備２７に送り込まれる。一方、液面が下限値まで低下すると、液面伝送器３４からの入力によって調節弁３３は開状態となり、循環オーバーライン１１から篩下スラリー槽６に還流されるスラリー量が最大となる。これにより、篩下スラリー槽６のスラリーの液面高さが上限値と下限値との範囲内で維持される。
【００３６】
この油汚染土壌洗浄設備を用いて汚染土壌の洗浄実験を行ったところ、次のような結果が得られた。
油分濃度３％に汚染された原土１７トン／ｈを３０％の水分率に調節し、ドラム洗浄機で１０分攪拌混合してスラリーとし、２段湿式振動篩に投入した。
この振動篩は図２に示すように、上段に５ｍｍの篩網４１ａと、下段に１ｍｍの篩網４１ｂと、前段の篩網４１ａ及び篩網４１ｂと対向して壊砕スプレー４２と、後段の篩網４１ａ及び篩網４１ｂと対向して洗浄スプレー４３とが設けられている。振動篩の前段において篩網４１ａ及び篩網４１ｂ上に壊砕スプレー４２から処理水を噴射し、後段において篩網４１ａ及び篩網４１ｂ上に残留した土壌に洗浄スプレーから処理水を噴射し、篩上の土壌をコンベア４４ａ、４４ｂに排出した。この結果、１ｍｍ以上の洗浄した土壌に含まれる油分は３０００ｐｐｍであった。また、スラリー排出部４５から排出されたスラリーに含まれる３０μｍ〜１ｍｍの土壌粒子に付着した油分は５０００ｐｐｍであり、その他の油分は３０μｍ以下の細粒分を含むスラリー中に含有されていた。
【００３７】
１ｍｍ以下の土壌粒子を含むスラリーは、粒子濃度１２％に調整した後、分級点３０μｍの一次サイクロンに供給し、スラリーに含まれる細粒分と粗粒分とを分離した。供給流量比で１５％となった粗粒分を含むスラリーは、排水設備処理からの希釈処理水を加えて粒子濃度１２％に調整し、再度、分級点３０μｍの二次サイクロンに供給し、粗粒分を洗浄した。この結果、二次サイクロンのアンダー水の油分は１０００ｐｐｍとなった。
【００３８】
なお、本設備で処理した汚染土壌に含まれる３０μｍ以下の土壌粒子は、全土壌の１０％であったが、汚染土壌の粒度分布が細粒分に偏っている場合や、産業廃棄物として系外に搬出するケーキを更に減少させたい場合は分級点の小さいサイクロンを複数台並列に接続したものを直列に配置することによってその目的を達することができる。
【００３９】
【発明の効果】
以上説明したように、本願発明に係る油汚染土壌洗浄設備によれば、油分によって汚染された土壌は洗浄装置においてスラリーとされ、土壌粒子から油分が剥離される。スラリーは振動篩に送り込まれ、振動篩の前段において処理中のスラリーが噴射されて篩上のスラリーに含まれる土壌の塊が壊砕され、振動篩の後段に移動した土壌の大粒径分に処理済水が噴射され、大粒径分に再付着した油分が除去される。これにより、使用水を大きく低減し、清浄な土壌を分離することができる。篩目を通過したスラリーは、サイクロンのオーバー水の一部を加水することによって濃度が調整され、サイクロン内で滞留せずに土壌の粗粒分と細粒分とに効果的に分級されるとともに、土壌の粒子の表面に付着した油分が剥離される。また、サイクロンを直列に設け、前段のサイクロンのアンダー水を濃度調整後に後段のサイクロンに送り込み、再洗浄することによって、油分の含有率の低い土壌粒子を取り出すことができる。
【図面の簡単な説明】
【図１】請求項１、請求項２、又は請求項３に係る発明の一実施形態である油汚染土壌洗浄設備を示す概略構成図である。
【図２】図１に示す油汚染土壌洗浄設備で用いることのできる湿式振動篩の概略構成図である。
【符号の説明】
１  洗浄装置                  ２１  二次粗粒槽
２  湿式振動篩                ２２  仕切り網
３  壊砕スプレー              ２３  水中ポンプ
４  洗浄スプレー              ２７  排水処理設備
５  礫等                      ２８  洗浄水ライン
６  篩下スラリー槽            ３０  汚染ケーキ
７、１５  攪拌機              ３１  濃度伝送器
８、９、１６  ポンプ          ３２  濃度調節計
１０  一次サイクロン          ３３  調節弁
１１  循環オーバーライン      ３４  液面伝送器
１２  排水オーバーライン
１３  アンダーライン
１４  一次粗粒槽
１８  二次サイクロン
１９  オーバーライン
【図１】
0003823849.tif 000002
【図２】
0003823849.tif 000003